(57)【要約】  締結システムは、筒状体を有するスリーブと、スリーブ上に提供された１つ以上の制動部材と、を含む。少なくとも１つのストラップは、スリーブを通って延在可能であり、スリーブが支持されている間は、スリーブに対して移動可能である。１つ以上の制動部材は、スリーブに対する少なくとも１つのストラップの移動に抵抗する。
2020531231.tif 000002
【特許請求の範囲】
【請求項１】
締結システムであって、
筒状体を有するスリーブと、
前記スリーブ上に提供された１つ以上の制動部材と、を備え、
少なくとも１つのストラップが、前記スリーブを通って延在可能であり、かつ前記スリーブが支持されている間は前記スリーブに対して移動可能であり、
前記１つ以上の制動部材が、前記スリーブに対する前記少なくとも１つのストラップの移動に抵抗する、締結システム。
【請求項２】
前記少なくとも１つのストラップが、少なくとも２つのストラップを備え、前記スリーブが、
第１の端部及び前記第１の端部の反対側にある第２の端部を有する基部と、
前記基部の周りに延在し、前記１つ以上の制動部材を提供するシースであって、前記少なくとも２つのストラップが、前記シースを通って延在可能であり、前記少なくとも２つのストラップのうちの１つが、前記基部に固定されている、シースと、を備える、請求項１に記載の締結システム。
【請求項３】
前記第１の端部に提供され、第１のチャネルを画定する第１のタブと、
前記第２の端部に提供され、第２のチャネルを画定する第２のタブと、
前記第１のタブと前記第２のタブとの間に延在する中心ストリップと、を更に備え、
前記シースが、前記中心ストリップの周りに複数回巻かれ、前記第１のチャネル及び前記第２のチャネルを通って延在するコードを含み、前記コードの１つ以上のループが、前記１つ以上の制動部材を構成する、請求項２に記載の締結システム。
【請求項４】
前記少なくとも２つのストラップが、
前記基部に固定された１つ以上の第１のストラップと、
前記１つ以上の第１のストラップ、前記基部、及び前記シースに対して移動可能な１つ以上の第２のストラップと、を備える、請求項３に記載の締結システム。
【請求項５】
前記１つ以上の第１のストラップが、並列に配置された第１の１対のストラップを備え、前記１つ以上の第２のストラップが、並列に配置された第２の１対のストラップを備える、請求項４に記載の締結システム。
【請求項６】
前記基部が、ｉ）基部材料が前記基部を形成するために折り畳まれる複数の切り込み線、及びｉｉ）前記基部材料内に画定された１つ以上の弓状ノッチのうちの１つ以上を提供する、前記基部材料のストリップを含む、請求項２に記載の締結システム。
【請求項７】
前記基部が、射出成形又は３Ｄ印刷されている、請求項２に記載の締結システム。
【請求項８】
前記１つ以上の制動部材が、１つ以上の切断部により前記スリーブ内に形成されている、請求項１に記載の締結システム。
【請求項９】
前記少なくとも１つのストラップが、
前記スリーブに固定された第１のストラップと、
前記締結システム内の張力を調節するために、前記第１のストラップ及び前記スリーブに対して移動可能な第２のストラップと、を備える、請求項８に記載の締結システム。
【請求項１０】
前記少なくとも１つのストラップが、単一のストラップを備え、前記スリーブが、前記スリーブから軸方向に離れて延在し、前記スリーブを前記単一のストラップに対して固定する延長部を含む、請求項９に記載の締結システム。
【請求項１１】
前記スリーブが、射出成形又は３Ｄ印刷されている、請求項１に記載の締結システム。
【請求項１２】
足に装着されるサンダルであって、
ソールと、
前記ソールに結合され、前記足の前部、足首、及びかかとのうちの１つ以上の周囲に延在可能である、少なくとも１つのストラップと、
前記少なくとも１つのストラップに動作可能に結合された締結システムであって、
筒状体を有するスリーブと、
前記スリーブ上に提供された１つ以上の制動部材と、を含む、締結システムと、を備え、
前記少なくとも１つのストラップが、前記スリーブを通って延在し、前記足に対する前記少なくとも１つのストラップ内の張力を調節するために、前記スリーブが支持されている間は、前記スリーブに対して移動可能であり、
前記１つ以上の制動部材が、前記スリーブに対する前記少なくとも１つのストラップの移動に抵抗する、サンダル。
【請求項１３】
前記少なくとも１つのストラップが、前記ソールに結合された少なくとも２つのストラップを備え、前記スリーブが、
第１の端部及び前記第１の端部の反対側にある第２の端部を有する基部と、
前記基部の周りに延在し、前記１つ以上の制動部材を提供するシースであって、前記少なくとも２つのストラップが、前記シースを通って延在可能であり、前記少なくとも２つのストラップのうちの少なくとも１つが、前記基部に固定されている、シースと、を備える、請求項１２に記載のサンダル。
【請求項１４】
前記第１の端部に提供され、第１のチャネルを画定する第１のタブと、
前記第２の端部に提供され、第２のチャネルを画定する第２のタブと、
前記第１のタブと前記第２のタブとの間に延在する中心ストリップと、を更に備え、
前記シースが、前記中心ストリップの周囲に複数回巻かれたコードを備え、前記少なくとも２つのストラップ及び前記コードが、前記第１のチャネル及び前記第２のチャネルを通って延在する、請求項１３に記載のサンダル。
【請求項１５】
前記少なくとも２つのストラップが、
前記基部に固定された１つ以上の第１のストラップと、
前記１つ以上の第１のストラップ、前記基部、及び前記シースに対して移動可能な１つ以上の第２のストラップと、を備える、請求項１３に記載のサンダル。
【請求項１６】
前記１つ以上の制動部材が、１つ以上の切断部により前記スリーブ内に形成されている、請求項１２に記載のサンダル。
【請求項１７】
前記少なくとも１つのストラップが、
前記スリーブに固定された第１のストラップと、
前記足に対する前記少なくとも１つのストラップ内の前記張力を調節するために、前記第１のストラップ及び前記スリーブに対して移動可能な第２のストラップと、を備える、請求項１６に記載のサンダル。
【請求項１８】
前記少なくとも１つのストラップが、単一のストラップを備え、前記スリーブが、前記スリーブを前記サンダルに結合している延長部を含む、請求項１６に記載のサンダル。
【請求項１９】
前記ソールが、前部及び後部を有し、かつ前記前部に、水平に対して上向きに角度付けされたつま先ガードを提供する、請求項１２に記載のサンダル。
【請求項２０】
前記ソールが、前部及び後部を有し、かつ前記後部に、水平に対して上向きに角度付けされたかかとガードを提供する、請求項１２に記載のサンダル。
【請求項２１】
前記ソールが、
前記少なくとも１つのストラップを受容するようにサイズ決めされた、前記ソールの上面内に画定されたストラップ開口部と、
前記ストラップ開口部からの前記少なくとも１つのストラップを受容するために、前記ソールの下面内に画定された溝と、を備え、
前記溝が、前記少なくとも１つのストラップを前記ソールの前記上面に向かって向け直すスロットを画定し、
前記スロットが、前記少なくとも１つのストラップが下部の表面に接触することを防止するのに十分な深さを有する、請求項１２に記載のサンダル。
【請求項２２】
前記少なくとも１つのストラップが、前記足の前記前部、前記足首、及び前記かかとの各々に対する前記少なくとも１つのストラップ内の前記張力を調節するために、前記スリーブに対して調節可能である、請求項１２に記載のサンダル。
【発明の詳細な説明】
【背景技術】
【０００１】
サンダルは、概して、ソールと、ソールをユーザの足に固定するように設計された締結デバイス又はシステムと、を含む。サンダル締結システムは、単純に見えるが、それらの構造は、多くの場合、足に対してぴったりとしたフィットを達成するために微妙な差異がかなり付加されている。例えば、いくつかのサンダル締結システムは、ストラップ、紐、コード、大径ロープ、ソールへの複数の取り付け点、ループ、結び目、及び様々なタイプのバックル、ヒッチ、並びにスナップを含むことができ、これらの構成部品及び構造体の全てが、様々な異なる材料で作製されている場合がある。サンダル締結システムは、同様の長さの足が、かなり異なる幅及び周囲の長さを有する場合があるという事実により、更に複雑になり得る。このため、広範囲の足形状のための快適なフィットを達成することは、足の前部、足首、及びかかとのうちの１つ以上に沿って調節可能なストラップを有するサンダル締結システムを理想的には必要とする。
【０００２】
従来のサンダル締結システムにおけるストラップ長さを調節するために利用可能な解決策は、それらの制限を有する。いくつかは、長いたるんだ末端が利用可能であることを必要とし、一方で他のものは、嵩高であり、更に他のものは、意図された設計と一致しない可能性のある非常に独特の審美性を伝える。更に、いくつかのサンダル締結システムは、それらの調節可能な長さが限定されるか、又は単に消費者にとって使い勝手が悪かったり、調節するのに不便であったりする。
【０００３】
以下の図は、本開示の特定の態様を示すために含まれ、排他的な実施形態として見られるべきではない。開示される主題は、本開示の範囲から逸脱することなく、形態及び機能における相当な修正、変更、組み合わせ、及び等価物が可能である。
【図面の簡単な説明】
【０００４】
【図１】本開示の１つ以上の実施形態による、例示的なサンダルの等角図である。
【図２】１つ以上の実施形態による、図１の締結システムの拡大等角図である。
【図３】図２に示される平面に沿って切り取られた、図１及び図２の締結システムの断面端面図である。
【図４】１つ以上の付加的な実施形態による、図１及び図２の締結システムの代替的な実施形態の拡大等角図である。
【図５Ａ】図４の締結システムの一部分の例示的な動作を図示する漸進的側面図である。
【図５Ｂ】図４の締結システムの一部分の例示的な動作を図示する漸進的側面図である。
【図６Ａ】図２及び図４の基部の等角図である。
【図６Ｂ】図２及び図４の基部の等角図である。
【図７Ａ】図２、図４、及び図６Ａ〜図６Ｂの基部の一実施形態の段階的組み立てを図示する。
【図７Ｂ】図２、図４、及び図６Ａ〜図６Ｂの基部の一実施形態の段階的組み立てを図示する。
【図７Ｃ】図２、図４、及び図６Ａ〜図６Ｂの基部の一実施形態の段階的組み立てを図示する。
【図７Ｄ】図２、図４、及び図６Ａ〜図６Ｂの基部の一実施形態の段階的組み立てを図示する。
【図７Ｅ】図２、図４、及び図６Ａ〜図６Ｂの基部の一実施形態の段階的組み立てを図示する。
【図８Ａ】１つ以上の実施形態による、図６Ａ〜図６Ｂ、及び図７Ａ〜図７Ｅの基部と併せたシースの段階的組み立てを図示する。
【図８Ｂ】１つ以上の実施形態による、図６Ａ〜図６Ｂ、及び図７Ａ〜図７Ｅの基部と併せたシースの段階的組み立てを図示する。
【図８Ｃ】１つ以上の実施形態による、図６Ａ〜図６Ｂ、及び図７Ａ〜図７Ｅの基部と併せたシースの段階的組み立てを図示する。
【図８Ｄ】１つ以上の実施形態による、図６Ａ〜図６Ｂ、及び図７Ａ〜図７Ｅの基部と併せたシースの段階的組み立てを図示する。
【図８Ｅ】１つ以上の実施形態による、図６Ａ〜図６Ｂ、及び図７Ａ〜図７Ｅの基部と併せたシースの段階的組み立てを図示する。
【図８Ｆ】１つ以上の実施形態による、図６Ａ〜図６Ｂ、及び図７Ａ〜図７Ｅの基部と併せたシースの段階的組み立てを図示する。
【図９】１つ以上の付加的な実施形態による、別の例示的な基部の斜視図である。
【図１０Ａ】図１のソールの様々な図である。
【図１０Ｂ】図１のソールの様々な図である。
【図１０Ｃ】図１のソールの様々な図である。
【図１０Ｄ】図１のソールの様々な図である。
【図１０Ｅ】図１のソールの様々な図である。
【図１１】１つ以上の付加的な実施形態による、別の例示的な締結システムの拡大等角図である。
【図１２】１つ以上の付加的な実施形態による、別の例示的な締結システムの拡大等角図である。
【図１３】本開示の１つ以上の実施形態による、図１２の締結システムを組み込む別の例示的なサンダルの等角図である。
【発明を実施するための形態】
【０００５】
ストラップを容易に、快適に、かつ迅速に調節するための締結システムが開示される。本明細書で考察される実施形態は、概して履物（すなわち、サンダル）と共に使用される締結システムに関し、本開示の締結システムは、複数のストラップ又はコードが摺動可能な調節を必要とする他の状況若しくは産業において代替的に適用されてもよい。例えば、本開示の実施形態は、バッグ、ベルト、ネックレス、ブレスレット、ストラップ又はコードを必要とする宝飾物及びアクセサリ、アクセサリ（双眼鏡、カメラ、笛、水筒など）を運ぶために使用される首ストラップ及び他のストラップ、調節可能なストラップを必要とするスポーツ用品及び運動用品、ロープ、又はコード、バックパック、バッグ、ウェスト／ベルトバッグ（すなわち、ファニーパック）、ズボン用のサスペンダ、調節可能なパンツウェスト周囲径（引き紐と同様）、ヘッドバンド、靴紐の代替品、及びストラップ又はコードの長さが使用のために調節可能であることが望ましい他の用途に、代替的に適用されてもよい。
【０００６】
いくつかの実施形態では、締結システムは、筒状体を有するスリーブを含んでもよく、１つ以上の制動部材が、スリーブ上に提供されてもよい。少なくとも１つのストラップは、スリーブを通って延在可能であり得、スリーブが支持されている間はスリーブに対して移動可能であってもよい。更に、１つ以上の制動部材は、スリーブに対する少なくとも１つのストラップの移動に抵抗するように構成されてもよい。
【０００７】
いくつかの実施形態では、スリーブは、第１の端部と、第１の端部の反対側にある第２の端部と、基部の周りに延在し、制動部材を提供するシースと、を備えてもよい。かかる実施形態では、少なくとも２つのストラップが、シースを通って延在可能であり得、少なくとも２つのストラップのうちの１つは、基部に固定され得る。第１のタブは、第１の端部に提供され、かつ第１のチャネルを画定してもよく、第２のタブは、第２の端部に提供され、かつ第２のチャネルを画定してもよく、中心ストリップは、第１のタブと第２のタブとの間に延在してもよい。シースは、中心ストリップの周囲に複数回巻かれ、第１のチャネル及び第２チャネルを通って延在するコードを備えてもよく、コードのループは、１つ以上の制動部材を構成してもよい。
【０００８】
いくつかの実施形態では、制動部材は、１つ以上の切断部によりスリーブ内に形成されてもよい。かかる実施形態では、少なくとも１つのストラップは、スリーブに固定された第１のストラップと、締結システム内の張力を調節するために、第１のストラップ及びスリーブに対して移動可能な第２のストラップと、を含み得る。代替的に、かかる実施形態では、少なくとも１つのストラップは、単一のストラップを含んでもよく、スリーブは、スリーブから軸方向に離れて延在し、単一のストラップに対してスリーブを固定する延長部を含んでもよい。
【０００９】
いくつかの実施形態では、足に装着されるサンダルは、ソールと、ソールに結合され、足の前部、足首、及びかかとのうちの１つ以上の周囲に延在可能な少なくとも１つのストラップと、少なくとも１つのストラップに動作可能に結合された締結システムと、を含む。締結システムは、筒状体を有するスリーブと、スリーブ上に提供された１つ以上の制動部材と、を含んでもよい。少なくとも１つのストラップは、スリーブを通って延在してもよく、かつスリーブが足に対するストラップ内の張力を調節するために支持されている間は、スリーブに対して移動可能であってもよい。更に、１つ以上の制動部材は、スリーブに対するストラップの移動に抵抗してもよい。ソールは、前部及び後部を有してもよく、水平に対して上向きに角度付けされた前部において、つま先ガードを提供し得る。ソールはまた、水平に対して上向きに角度付けされた後部において、かかとガードを提供してもよい。いくつかの実施形態では、ソールは、ソールの上面内に画定されかつ少なくとも１つのストラップを受容するようにサイズ決めされたストラップ開口部を提供するか、又は別様に含むことができ、溝が、ストラップ開口部から少なくとも１つのストラップを受容するようにソールの下面内に画定されてもよい。かかる実施形態では、溝は、ストラップをソールの上面に向かって向け直すスロットを画定してもよい。スロットは、ストラップが下部の表面に接触することを防止するのに十分な深さを有してもよい。
【００１０】
詳細な説明
本開示は、サンダル履物に関し、より具体的には、足に対する張力を相応に調節するための、ストラップの長さの単純かつ迅速な調節のためにサンダル設計に組み込まれた締結システムに関する。
【００１１】
図１は、本開示の１つ以上の実施形態による、ユーザの足１０２に装着されるように設計された例示的なサンダル１００の等角図である。示されるように、サンダル１００は、ソール１０４と、ソール１０４を足１０２に取り付けるように構成された１つ以上のストラップ１０６と、を含んでもよい。ストラップ（複数可）１０６は、サンダル１００を足１０２に固定するために、足１０２の前部、足首、及びかかとのうちの１つ以上の周囲にループするか、又は別様に延在してもよい。本明細書で使用される際、「ストラップ」という用語は、ソール１０４を足１０２に固定するために、足１０２の周囲に巻き付く（ループする）ことが可能な任意の可撓性かつ細長い材料を指す。ストラップ（複数可）１０６は、限定されるものではないが、ロープ、コード、紐、線、リード線、ワイヤ、折り畳まれた及び／又は縫製された布地（例えば、織布及び不織布材料）、皮革、バンド、射出成形若しくは圧縮成形バンド、又はこれらの任意の組み合わせを含み得る。
【００１２】
示される実施形態では、ストラップ（複数可）１０６は、ロープの長さとして図示され、使用中にストラップ（複数可）１０６が足１０２の皮膚と直接接触するため、好ましくは比較的柔らかいロープ又は材料を含む。更に、ストラップ（複数可）１０６は、足１０２の周囲に対（例えば、２つずつ）で延在するように図示されるが、本開示の範囲から逸脱することなく、単一の線又は２つを超える線として延在することができる。足１０２の前側において、ストラップ（複数可）１０６は、母趾のつま先１０８（すなわち、「足の親指」）と第２のつま先１１０（すなわち、「第二趾」）との間に延在してもよく、それらの間で圧縮されながら、２つのつま先１０８、１１０の間の自然な間隔に関して設計されてもよい。他の実施形態では、ストラップ（複数可）１０６は、本開示の範囲から逸脱することなく、他のつま先の間に延在するか、又は３つ以上のつま先の間（例えば、２つ以上の場所において）に延在するように設計されてもよい。更に他の実施形態では、ストラップ（複数可）１０６はまた、任意のつま先の間を通過することなく、足の前部幅方向（横方向）にわたって広がることもできる。
【００１３】
サンダル１００は、ストラップ１０６に動作可能に結合され、かつ足１０２に対するストラップ１０６内の張力を調節するために移動可能（摺動可能）である締結システム１１２を更に含んでもよい。締結システム１１２は、ストラップ１０６を包囲する略円筒の管又はチャネル（本明細書では「スリーブ」として代替的に称される）を形成してもよく、ストラップ１０６のうちの少なくとも１つは、円筒管又はチャネルが（例えば、人の指で）支持されている間は、円筒管又はチャネル内で自由に摺動することができる。ストラップ１０６のうちの少なくとも１つを円筒管又はチャネルに対していずれかの方向に引っ張ることは、締結システム１１２内の張力を調節することができる。
【００１４】
示された実施形態では、締結システム１１２は、概して足１０２の足首に対して位置決めされるが、本開示の範囲から逸脱することなく、かかとの上、又は足の前部、若しくはこれらの組み合わせなどの、足１０２上の他の場所に代替的に位置決めされてもよい。締結システム１１２は、ストラップ１０６を足１０２に対して締めるために第１の方向Ａにおいて移動可能（摺動可能）であり得、かつストラップ１０６を緩めるために、第１の方向Ａとは反対の第２の方向Ｂにおいて移動可能（摺動可能）であり得る。しかしながら、理解されるように、締結システム１１２の設計は、方向Ａ、Ｂが反転されて、ストラップ１０６を締め、かつ緩めるように変更され得る。
【００１５】
本明細書で考察されるように、締結システム１１２は、ユーザが、ストラップ１０６内の張力を容易に、快適に、かつ迅速に調節することを可能にするように設計されてもよい。以下でより詳細に考察されるように、ストラップ１０６は、対応する側部ストラップ開口部を介して足１０２の反対の側面上でソール１０４を貫通してもよい（図１内では視認可能ではない）。ストラップ１０６を側部ストラップ開口部を通して適切に送り込む（例えば、前進又は後退させる）ことによって、足の前部、足首、及びかかとの周囲に巻き付くストラップ１０６の各長さは、個別に調節可能であってもよい。足の前部上のストラップ１０６の張力は、例えば、足１０２の一方の側面上の側部ストラップ開口部を通してストラップ１０６を引っ張ることによって調節され得る。次いで、かかとの周囲のストラップ１０６の張力は、足１０２の反対側の側部ストラップ開口部を通してストラップ１０６を引っ張ることによって調節され得る。最後に、足首の周囲のストラップ１０６の張力は、締結システム１１２の動作を通じてストラップ１０６内の緩みを取り除くことによって調節され得る。理解されるように、これにより、締結システム１１２がストラップ１０６と足との間の全ての接触点にわたってストラップ１０６の張力を調節することを可能にし、このため、サンダル１０４が広範な足形状、長さ、周囲の長さ、及び幅に適合することが可能になる。
【００１６】
図２は、締結システム１１２の一実施形態の拡大等角図である。示される実施形態では、締結システム１１２は、第１のストラップ１０６ａ、第２のストラップ１０６ｂ、第３のストラップ１０６ｃ、及び第４のストラップ１０６ｄとして示される、４つのストラップと共に使用される。締結システム１１２は、第１のストラップ１０６ａ及び第２のストラップ１０６ｂに固定（固着）されてもよく、第３のストラップ１０６ｃ及び第４のストラップ１０６ｄをいずれかの方向に引っ張り、一方で、締結システム１１２を（例えば、人の指で）支持することで、足１０２に対するストラップ１０６ａ〜ｄ内の張力を調節し得る（図１）。
【００１７】
示されるように、締結システム１１２は、基部２０２と、基部２０２及びストラップ１０６ａ〜ｄの一部分の周囲に延在する（例えば、包囲する、取り囲むなど）シース２０４と、を含む。基部２０２とシース２０４との組み合わせは、上記の略円筒形の管又はチャネルを形成してもよく、このため、基部２０２及びシース２０４は、本明細書では「スリーブ」として共に称されてもよい。基部２０２は、第１の端部２０６ａと、第１の端部２０６ｂと反対の第２の端部２０６ｂと、を有する略細長い構造を備えてもよい。基部２０２は、第１の端部２０６ａにおいて第１のタブ２０８ａ、第２の端部２０６ｂにおいて第２のタブ２０８ｂ、及び第１のタブ２０８ａと第２のタブ２０８ｂとの間に延在する中心ストリップ２１０（破線で示される）を提供するか、又は別様に画定してもよい。いくつかの実施形態では、第１のタブ２０８ａ及び第２のタブ２０８ｂは、基部２０２の「隆起」区分として特徴付けられてもよく、中心ストリップ２１０は、基部２０２の「凹設された」中間区分として特徴付けられてもよい。基部２０２は、限定されるわけではないが、ポリマー（例えば、ポリエステル、ポリプロピレン、ナイロン、熱可塑性ポリウレタン、アクリロニトリルブタジエンスチレン、熱可塑性ゴム、ポリ乳酸、ポリ酢酸ビニル、ポリエチレンテレフタレート、ポリエチレンテレフタレートコポリエステル、高衝撃ポリスチレンなど）、天然材料（例えば、皮革、ゴム、ラテックス、木材など）、金属（例えば、銅、青銅、アルミニウム、合金など）、織布又は編組材料、不織布材料（例えば、不織布ウール、マイクロファイバ布地など）、複合材料（例えば、炭素繊維、繊維ガラスなど）、又はこれらの任意の組み合わせを含む、様々な剛性又は半剛性材料から作製され得る。
【００１８】
シース２０４は、締結システム１１２をストラップ１０６ａ〜ｄに固定するために、基部２０２及びストラップ１０６ａ〜ｄの周囲に複数回ループ（巻き付け）されたコード２１２を備えてもよい。コード２１２は、ストラップ１０６ａ〜ｄの直径未満の直径を呈する細長い糸、紐、線等の材料を含んでもよい。いくつかの実施形態では、コード２１２は、連続的な、破断していない長さの材料を含み得る。代替的に、コード２１２は、本開示の範囲から逸脱することなく、端部から端部に取り付けられた複数の長さの材料から形成されてもよい。コード２１２は、限定されるわけではないが、ポリエステル、綿、ナイロン、麻、アラミド、ポリエチレン、サイザル、マニラ麻、ポリプロピレン、ラテックス、ポリアミド、絹、又はこれらの任意の組み合わせを含む、様々な材料から作製され得る。他の実施形態では、又はそれに加えて、コード２１２は、単一のポリマーのコア（例えば、熱可塑性ポリウレタン、熱可塑性ゴム、又は他の可撓性材料）から作製されてもよい。
【００１９】
示される実施形態では、コード２１２は、中心ストリップ２１０及びストラップ１０６ａ〜ｄの周囲に複数回、漸進的に巻き付けられる。中心ストリップ２１０のいずれかの先端部上のタブ２０８ａ、ｂに到達すると、コード２１２は、中心ストリップ２１０から遷移して、第１のタブ２０８ａによって画定される第１のチャネル２１４ａ（図２において隠れている）、及び第２のタブ２０８ｂによって画定される第２のチャネル２１４ｂを通って延在することができる。少なくとも１つの実施形態では、チャネル２１４ａ、ｂを通って延在するコード２１２のループは、中心ストリップ２１０を横断するコード２１２のループとして、同じ平面内に配置されてもよい。以下により詳細に記載されるように、基部２０２及びシース２０４は、本明細書では「スリーブ」として共に称されながら、基部２０２及びストラップ１０６ａ〜ｄの周りのコード２１２のいくつかの回転又は「ループ」は、ストラップ１０６ａ〜ｄのうちの少なくとも１つが基部２０２に対していずれかの方向において移動することに抵抗する、平行な「制動部材」として動作することができる。
【００２０】
第１のタブ２０８ａ及び第２のタブ２０８ｂは、締結システム１１２が未完成（失敗）になることを防止するように設計され得る。例えば、第１のタブ２０８ａ及び第２のタブ２０８ｂは、中心ストリップ２１０よりも幅広であってもよく、これにより、コード２１２がタブ２０８ａ、ｂの上部上でシフトすること、及び別様に、チャネル２１４ａ、ｂを通過するコード２１２のループを乗り越えることを防止することができる。更に、いくつかの実施形態では、第１のタブ２０８ａ及び第２のタブ２０８ｂは、中心ストリップ２１０よりも厚くてもよく、及び別様に、中心ストリップ２１０からのステップアップ（隆起）遷移を形成してもよく、これはまたコード２１２がタブ２０８ａ、ｂの上部上でシフトすることを防止する。最後に、基部２０２のいずれかの端部上のチャネル２１４ａ、ｂを通じるコード２１２の経路設定もまた、システムの故障につながる可能性がある、締結システム１１２の全長が長さ方向に拡張することを防止する。コード２１２内の結び目（視認可能ではない）はまた、基部２０２の材料が小さい伸張率を呈し得るため、同じ目的を有してもよい。しかしながら、材料中の小さい伸張率は、性能に悪影響を及ぼさないことに留意されたい。
【００２１】
図３は、図２に示される平面に沿って切り取られた締結システム１１２の断面端面図である。示されるように、基部２０２とシース２０４との組み合わせは、スリーブ状の様式でストラップ１０６ａ〜ｄを取り囲む。示される実施形態では、第１のストラップ１０６ａ及び第２のストラップ１０６ｂは、中心ストリップ２１０の直下に位置決めされ、かつ横方向に並列に配置され、第３のストラップ１０６ｃ及び第４のストラップ１０６ｄは、第１のストラップ１０６ａ及び第２のストラップ１０６ｂの直下に位置決めされ、また横方向に並列に配置される。いくつかの実施形態では、第１のストラップ１０６ａ及び第２のストラップ１０６ｂは、中心ストリップ２１０に、互いに、及びシース２０４に固定（固着）されてもよく、そのため締結システム１１２及び第１のストラップ１０６ａ及び第２のストラップ１０６ｂは、ストラップの張力を調節するために、第３のストラップ１０６ｃ及び第４のストラップ１０６ｄに対して（逆もまた同様に）移動可能であってもよい。より具体的には、第１のストラップ１０６ａ及び第２のストラップ１０６ｂは、締結点３０２ａ及び３０２ｂにおいて、並びに締結点３０２ｃにおいて互いに、中心ストリップ２１０の下側に固定（固着）されてもよい。しかしながら、他の実施形態では、締結システム１１２は、締結点３０２ａ及び３０２ｂに固定されない、第１のストラップ１０６ａ及び第２のストラップ１０６ｂと同様に機能し得る。少なくとも１つの実施形態では、第１のストラップ１０６ａ及び第２のストラップ１０６ｂは、以下により詳細に記載されるように、コード２１２（図２）内に作製された結び目（図示せず）によって、締結点３０２ｃにおいて互いに固定（固着）されてもよい。更に、以下にも記載されるように、コード２１２は、第１のストラップ１０６ａ及び第２のストラップ１０６ｂを通され得、これは第１のストラップ１０６ａ及び第２のストラップ１０６ｂを、基部２０２及びシース２０４に効果的に固定する。
【００２２】
いくつかの実施形態では、接着剤などが、各締結点３０２ａ〜ｃにおいて使用され得る。少なくとも１つの実施形態では、接着剤は、中心ストリップ２１０の全長に沿って、基部２０２の長さに沿って、又は中心ストリップ２１０若しくは基部２０２の長さに対応する長さに沿って、締結点３０２ａ〜ｃに適用されてもよい。ストラップ１０６ａ〜ｄ、シース２０４、及び中心ストリップ２１０に関して使用される材料に応じて、超音波溶接は、各締結点３０２ａ〜ｃにおいて代替的に使用されてもよい。かかる実施形態では、締結点３０２ａ〜ｃは、中心ストリップ２１０の長さの全て又は一部分に沿って、基部２０２の長さに沿って、又は中心ストリップ２１０又は基部２０２の長さに対応する長さに沿って、超音波溶接されてもよい。
【００２３】
示されるように、シース２０４は、ストラップ１０６ａ〜ｄ及び中心ストリップ２１０を取り囲む。少なくとも１つの実施形態では、図示されるように、シース２０４は、ストラップ１０６ａ〜ｄの周りに巻き付いてもよく、そのためストラップ１０６ａ〜ｄは、それらの自然な（通常の）断面形状からわずかに圧縮される。かかる実施形態では、ストラップ１０６ａ、ｂがシース２０４内にぴったりとフィットするように、シース２０４は、ストラップ１０６ａ、ｂをわずかに圧縮するように構成及び／又は寸法決めされてもよい。しかしながら、ストラップ１０６ａ〜ｄの圧縮又は圧迫は、固定されていない第３のストラップ１０６ｃ及び第４のストラップ１０６ｄが第１のストラップ１０６ａ及び第２のストラップ１０６ｂに対して移動することを防止するために、過度に激しくなくてもよい。むしろ、第３のストラップ１０６ｃ及び第４のストラップ１０６ｄは、第１のストラップ１０６ａ及び第２のストラップ１０６ｂに対していずれの方向においても長手方向に移動することができ得る（逆もまた同様に）。
【００２４】
いくつかのタイプのストラップ（例えば、ロープ）は、比較的空いた中心又はコア領域を伴って作製され、他は、コアを含有するか、さもなければ全体にわたって均一に充填されていることを認識されたい。充填されたストラップ又はロープは、中心ストリップ２１０に、及び互いに固定するための付加的な処理も必要とし得ないが、コアを有さないものは、より容易に圧縮される傾向がある。かかるシナリオでは、シース２０４が形成されている間、ワイヤ又は類似の剛性プローブが、一時的な剛性を提供し、ストラップ又はロープを適所に保持することに役立つようにストラップ又はロープの中心に挿入され得る。これらのワイヤ又はプローブは、その後取り除かれ得る。
【００２５】
更なる説明として、中心コアを有するストラップ又はロープが使用されるときには、これらのロープは最小限の自己圧縮を可能にするため、シース２０４によって生じる張力が維持され得る。このため、所定の張力が維持され、シース２０４が支持されているときにのみ、第３のストラップ１０６ｃ及び第４のストラップ１０６ｄが摺動することを可能にする。シース２０４が支持されていないときは、第３のストラップ１０６ｃ及び第４のストラップ１０６ｄを引っ張ると、シース２０４内に付加的な張力を生じ、これらのストラップ１０６ｃ、ｄが摺動することを防止する。これとは対照的に、中心コアを有さないストラップ又はロープが使用されるとき、シース２０４の適用中に（すなわち、コード２１２を巻いている間に）、ストラップ１０６ａ〜ｄの周囲に一貫した張力を維持することが非常に困難になる。巻きが完了すると、コアなしストラップ１０６ａ〜ｄが自己圧縮する能力は、（中心コアを有するストラップと比較して）シース２０４内に、より広い範囲の結果として生じる張力を生じる。この制御が困難な広範囲の張力によって、一方の極端な状態では、シース２０４が支持されているときであっても、第３のストラップ１０６ｃ及び第４のストラップ１０６ｄが摺動することを妨げる過度の張力を生じ得るか、又は他方の極端な状況では、シース２０４が支持されていないときでさえも、第３のストラップ１０６ｃ及び第４のストラップ１０６ｄが摺動することを許容する十分ではない張力を生じ得る。したがって、コアなしロープをコアロープと同じくらい機能的にするためには、一時的なプローブが、第１のストラップ１０６ａ及び第２のストラップ１０６ｂに挿入され得（これによってコアが再現される）、次いで、ロープの全表面（中心ストリップ２１０の下）に接着剤が適用される。この接着剤は、硬化したときに硬くなり、次いでプローブが取り除かれ、コアなしロープが、自己圧縮することができないロープに変換され、このためコアを有するロープと同様の機能性が可能になる。
【００２６】
いくつかの実施形態では、各ストラップ１０６ａ〜ｄは、（例えば、スポーツ用品のより大きいアイテムに対応するため、又は単に美観のため）約３ｍｍ〜約２００ｍｍの範囲の円周を呈してもよい。中心ストリップ２１０は、締結システム１１２が、支持せずに摺動が始まる前に受容する必要がある引張張力の量に応じて、約１ｃｍ〜約２５ｃｍの範囲の長さを有してもよい。場合によっては、引張力が大きいほど、中心ストリップ２１０の長さが、より長くなり得る。理解されるように、ストラップ１０６ａ〜ｄの周囲の前述の範囲、及び中心ストリップ２１０の長さの範囲は、単に例示目的のために提供され、したがって、本開示を限定するものと見なされるべきではない。少なくとも１つの実施形態では、ストラップ１０６ａ〜ｄの直径は、中心ストリップ２１０の幅の約半分であってもよく、又はわずかに半分よりも大きくてもよく、これにより、図３に示される構造のぴったりとしたフィットが促進される。更に、ストラップ１０６ａ〜１０６ｄは、略円形の断面を呈すが、他の断面形状が、本開示の範囲から逸脱することなく、限定されるわけではないが、楕円形、卵形、多角形（例えば、三角形、矩形、五角形など）を含んで、用いられてもよい。
【００２７】
締結システム１１２は、２対のストラップ（例えば、ストラップ１０６ａ、ｂ、及び１０６ｃ、ｄ）と協働する必要はないことが理解されるであろう。むしろ、任意の数のストラップが、少なくとも１つがシース２０４に固定され、少なくとも１つがシース２０４内で自由に摺動する限り、及び摺動ストラップが、その断面の円周の少なくとも１／４においてシース２０４と直接接触する限り（別様に、意図しない摺動を防止するのに十分な摩擦及び張力がない場合がある）、締結システム１１２内の任意の組み合わせにおいて使用されてもよい。したがって、締結システム１１２は、本開示の範囲から逸脱することなく、１対のストラップ、２対のストラップ、２つの下部ストラップと組み合わせた１つの上部ストラップ、１つの下部ストラップと組み合わせた２つの上部ストラップ、又は任意の組み合わせで使用される５つ以上のストラップを有して用いられ得る。
【００２８】
図４は、１つ以上の付加的な実施形態による、締結システム１１２の代替的な実施形態の拡大等角図である。図２及び図３に図示される締結システム１１２とは対照的に、図４の締結システム１１２は、第５のストラップ１０６ｅ及び第６のストラップ１０６ｆとして示される、２つのストラップの周りに固定され、及び別様に位置決めされ、図２及び図３のストラップ１０６ａ〜ｄと同様であり得る。少なくとも１つの実施形態では、例えば、第５のストラップ１０６ｅ及び第６のストラップ１０６ｆは、第１のストラップ１０６ａ及び第３のストラップ１０６ｃと同じであってもよい。示される実施形態では、基部２０２とシース２０４との組み合わせは、ストラップ１０６ｅ、ｆを取り囲む「スリーブ」と称され得る。
【００２９】
示される実施形態では、締結システム１１２は、第５のストラップ１０６ｅに固定（固着）され、第６のストラップ１０６ｆを締結システム１１２に対して、かつ締結システム１１２を（例えば、人の指で）支持している間に、いずれかの方向に引っ張ることによって、足１０２（図１）に対するストラップ１０６ｅ、ｆにおける張力を調節することができる。より具体的には、ストラップ張力を調節するために締結システム１１２を（例えば、人の指で）支持している間に、第６のストラップ１０６ｆが、締結システム１１２及び第５のストラップ１０６ｅに対して移動可能であり得るように、第５のストラップ１０６ｅは、基部２０２（すなわち、中心ストリップ２１０の下側）及びシース２０４に固定（固着）されていてもよい。他の実施形態と同様に、第５のストラップ１０６ｅは、接着剤、超音波溶接などを使用して、基部２０２及びシース２０４に固定（固着）されてもよい。示された実施形態では、ストラップ１０６ｅ、ｆは、中心ストリップ２１０のおよその幅であるか、又は幅よりわずかに大きい直径を呈してもよく、これにより、シース２０４とのピッタリとしたフィットが促進される。
【００３０】
いくつかの実施形態では、第５のストラップ１０６ｅ及び第６のストラップ１０６ｆは、例えば相互接続ループ４０２（破線で示される）を形成することによって、締結システム１１２の一方の側面上で相互接続されてもよい。しかしながら、他の実施形態では、第５のストラップ１０６ｅ及び第６のストラップ１０６ｆは、別個の長さの材料を含み得る。理解されるように、これにより、実際の用途における更なる汎用性が可能になり得る。かかる実施形態では、ストッパ又は摺動止め（図示せず）が、ストラップ１０６ｅ、ｆ上に取り付けられて、ストラップ１０６ｅ、ｆがシース２０４を完全に通過することを防止することができる。代替的に、個別の長さの材料が、要素又は部品が、シース２０４を通過するには大きすぎる、実際の用途の実施形態の個々の要素又は他の部品に接続され得る。
【００３１】
図５Ａ及び図５Ｂは、１つ以上の実施形態による、図４の締結システム１１２の一部分の例示的な動作を図示する漸進的側面図である。図５Ａ〜図５Ｂは、１対のストラップ１０６ｅ、ｆを有する締結システム１１２の動作を図示する一方で、以下の動作説明は、４つのストラップ１０６ａ〜ｄを含む、図２〜図３の締結システム１１２などの他の用途に等しく適用され得る。簡略化のために、基部２０２（図４）は、図５Ａ〜図５Ｂにおいて図示されず、ストラップ１０６ｅ、ｆとシース２０４との間の相互作用のみを図示する。上述のように、第５のストラップ１０６ｅは、シース２０４に固定（固着）されてもよく、第６のストラップ１０６ｆは、ストラップ張力を調節するために、第５のストラップ１０６ａに対して（逆もまた同様に）移動可能であってもよい。
【００３２】
図５Ａでは、第６のストラップ１０６ｆ上に張力は、適用されず、したがって、コード２１２は、締結システム１１２の長手方向軸５０２に対して実質的に垂直に存在してもよい。しかしながら、張力がストラップ１０６ｅ、ｆのいずれかの上に適用されるとき、コード２１２は、引張荷重の方向において垂線から移動するはずであるが、ただし、コード２１２が引っ張られている特定のストラップと接触する。コード２１２のかかる移動は、引っ張られているストラップに対してある角度でコード２１２を設置し、これはコード２１２内の張力を増加させ、それによって、コード２１２と引っ張られているストラップとの間の摩擦を強化する。
【００３３】
図５Ｂにおいて、締結システム１１２は、第６のストラップ１０６ｆに適用された引張荷重５０４に供された状態で示されている。第６のストラップ１０６ｆが引っ張られる際、コード２１２のループは、それに対応して、同じ方向において、長手方向軸５０２からオフセットされた角度５０６に向かって引っ張られる。コード２１２のループを角度５０６に付勢することにより、コード２１２に付加的な張力が生じ、それに対応して、更なる移動に抵抗する制動効果（機構）として機能する第６のストラップ１０６ｆに抗する摩擦を強化する。コード２１２の各ループは、独立して機能し、締結システム１１２内の制動部材として、及び軸方向に隣接するループのために作動し得る。したがって、コード２１２の複数の及び個々のループは、引張荷重５０４の方向における第６のストラップ１０６ｆの移動に抵抗する「制動部材」として動作し、かつ本明細書で「制動部材」と称されてもよい。
【００３４】
しかしながら、コード２１２のループ（すなわち、「制動部材」）が張力の方向とは逆に支持されている（すなわち、人の指で）とき、ループは、締結システム１１２の長手方向軸５０２に対して垂直なままであるように強制されてもよい。これにより、引っ張られているストラップ１０６ｆが、コード２１２内の張力を増加させることなく、張力の方向に移動することを可能にする。その結果、スリーブ（例えば、基部２０２及びシース２０４の組み合わせ）を支持することは、コード２１２のループの制動効果を回避する。
【００３５】
このため、コード２１２内のループ数を増加させることは、締結システム１１２の抵抗をそれに対応して増加させ得る。理解されるように、ループ数を増加させることにより、締結システム１１２内の抵抗を制御する能力は、より広い範囲の実際の用途を可能にし、その場合、あるものは引張力に対して少しの抵抗を必要とし、一方で他のものは大きな引張力に対する抵抗を必要とする場合がある。
【００３６】
図６Ａ及び図６Ｂは、１つ以上の実施形態による、図２及び図４の基部２０２の等角図である。より具体的には、図６Ａは、任意の他の構造から独立した基部２０２を図示し、図６Ｂは、基部２０２に取り付けられたシース２０４の切欠き部分を有する基部２０２を図示する。第１の端部２０６ａと第２の端部２０６ｂとの間の基部２０２の長さＬ（図６Ａ）は、概してその用途に依存する。履物（例えば、サンダル）に関する用途の場合、例えば、長さＬは、約１ｃｍ〜約５ｃｍの範囲であり得る。しかしながら、袋、ベルトなどの履物以外の用途の場合、長さＬは、約１ｃｍ〜約２５ｃｍの範囲であってもよく、特定の用途に必要とされる抵抗に依存し得る。本明細書で言及される長さＬの範囲は、単に例示目的のために提供され、したがって、本開示を限定するものと見なされるべきではない。
【００３７】
示されるように、基部２０２は、第１のタブ２０８ａ及び第２のタブ２０８ｂ、並びにそれらの間に延在する中心ストリップ２１０を含む。タブ２０８ａ、ｂは、中心ストリップ２１０と比較して上昇又は隆起してもよく、中心ストリップ２１０の幅よりも大きい幅を呈してもよい。更に、第１のタブ２０８ａ及び第２のタブ２０８ｂは、それぞれ、第１のチャネル２１４ａ及び第２のチャネル２０４ｂを画定する。図６Ｂに最も良く見られるように、コード２１２の１つ以上のループは、各チャネル２１４ａ、ｂを通って延在してもよく、コード２１２の、中心ストリップ２１０を横断するループは、チャネル２１４ａ、ｂを通って延在するコード２１２のループと同じ平面内に配置されてもよい。示される実施形態では、チャネル２１４ａ、ｂを通って延在するループは、シース２０４を基部２０２に固定することに役立ち得る。少なくとも１つの実施形態において、例えば、チャネル２１４ａ、ｂを通って延在するループは、例えば、超音波溶接、及び接着剤、縫製、又はこれらの任意の組み合わせを使用して、基部２０２に固定されてもよい。
【００３８】
少なくとも１つの実施形態では、第１のタブ２０８ａは、第２のタブ２０８ｂよりも長くてもよく、若しくは、別様に延長部６０２を提供又は画定してもよい。いくつかの実施形態では、延長部５０２は、エンボス加工、ヒートスタンピング、製織、ブランディングなどによって、ブランド名又は製品識別が配置され得る場所を提供してもよい。
【００３９】
図７Ａ〜図７Ｅは、図２、図４、及び図６Ａ〜図６Ｂの基部２０２の一実施形態の段階的組み立て（構造）を図示する。示されるように、基部２０２は、特定の形状に切断された基部材料のストリップを備えて、屈曲、折り畳まれる、又は別様に基部２０２の最終形状に操作されるように構成された本体７０２を形成してもよい。本体７０２は、限定されるわけではないが、ポリマー（例えば、ポリエステル、ポリプロピレン、ナイロン、熱可塑性ポリウレタン、アクリロニトリルブタジエンスチレン、熱可塑性ゴム、ポリ乳酸、ポリ酢酸ビニル、ポリエチレンテレフタレート、ポリエチレンテレフタレートコポリエステル、高衝撃ポリスチレンなど）、天然材料（例えば、皮革、ゴム、ラテックス、木材など）、金属（例えば、銅、青銅、アルミニウム、合金など）、織布又は編組材料、不織布材料（例えば、不織布ウール、マイクロファイバ布地など）、複合材料（例えば、炭素繊維、繊維ガラスなど）、又はこれらの任意の組み合わせを含む、様々な剛性又は半剛性材料から作製され得る。
【００４０】
最初に図７Ａを参照すると、本体７０２は、基部材料内に画定された複数の切り込み線７０４を含んでもよく、本体７０２が折り畳まれる領域又は位置を示す。いくつかの実施形態では、切り込み線７０４は、金属ダイカットプレートの切断又は切り込みを使用して、基部材料を通して画定された孔を含んでもよい。かかる実施形態では、切り込み線７０４は、折り畳みを促進することに役立てるために、それらの場所において基部材料を弱めることができる。しかしながら、他の実施形態では、切り込み線７０４は、表面凹み、凹み、又はマーキングを含んでもよい。切り込み線７０４はまた、折り目の方向（例えば、下向き又は上向き）を示してもよい。より具体的には、ほとんどの切り込み用ダイは、雌型及び雄型部品を有し、生じる「Ｕ」字型の凹み又は穿孔の方向は、材料が湾曲される準備される（傾向がある）方向を示す。
【００４１】
いくつかの実施形態では、切り込み線７０４は、対で提供されてもよく、隣接する切り込み線７０４間の距離Ｄは、コード２１２（図２、図５Ａ〜図５Ｂ、及び図６Ｂ）の幅、及び／又は基部材料の厚みに正比例してもよい。距離Ｄは、ミリメートルの１０分の１近くまで微調整され得、新しい基部材料又は異なるサイズのコード２１２を組み込むとき、距離Ｄは、厚さの変化に適応するように再調節されてもよい。
【００４２】
いくつかの実施形態では、１つ以上のノッチ７０６は、１つ以上の縁部に沿って、及び／又は基部材料の予め選択された角部において、本体７０２内に画定されてもよい。ノッチ７０６は、使用中の潜在的な引張荷重の場所で提供されて、基部材料の引き裂き（裂け）を緩和することに役立ち得る。ほとんどの可撓性材料は、小さい裂け目が既に始まっている、又は鋭い角部が存在する場所において、より容易に引き裂かれる。ダイ切断ナイフを用いて本体７０２の基部材両を切断することは、本質的に鋭い縁部及び角度をもたらし、このため引き裂きを生じやすい弱点を構成する。これらの弱点を円弧状のノッチ７０６と置き換えることは、切断ダイによって生じる鋭い縁部又は微細な裂けめを排除し、弓状表面にわたって引張荷重を広げることに役立つ。その結果、基部材料の裂け又は引き裂きは、実質的に緩和され得る。
【００４３】
本体７０２は、１つ以上の実質的に矩形のフラップ７０８ａ及び７０８ｂ、並びに１つ以上のＬ字形フラップ７１０ａ及び７１０ｂを更に含んでもよく、又は画定してもよい。パネル７１２は、フラップ７０８ａ、ｂから遠位方向に延在してもよく、中心ストリップ２１０（図６Ａ）の寸法と同様の寸法を呈してもよい。フラップ７０８ａ、ｂ及び７１０ａ、ｂは、本体７０２上で互いに長手方向にオフセットされて、パネル７１２よりも長い中心支持体７１４を画定することに役立ち得る。切り込み入り延長部７１６は、パネル７１２から遠位に延在してもよく、わずかに狭い延長部７１８は、Ｌ字型フラップ７１０ａ、ｂと干渉し得る。各フラップ７１０ａ、ｂは、延長部７１８から短い距離だけ横方向にオフセットされたステム部分７２０を含むか、又は別様に提供することができる。
【００４４】
図７Ｂにおいて、フラップ７０８ａ、ｂ、及びＬ字型フラップ７１０ａ、ｂ（及び対応するステム部分７２０）は、各々内向きに、かつ中心支持体７１４の上面上に折り畳まれている。Ｌ字型フラップ７１０ａ、ｂは、ステム部分７２０が、延長部７１８（図７Ａ）を実質的に覆うように折り畳まれている。フラップ７０８ａ、ｂ、及び７１０ａ、ｂは、結果として生じるチャネル２１４ａ、ｂ（図７Ｄ）の床の高度を、中心ストリップ（例えば、パネル７１２）の床の同じ高度まで上昇させる目的に役立つ。別様に、チャネル２１４ａ、ｂ、及び包囲式タブは、中心ストリップ２１０（図６Ａ）の領域内のシース２０４（図２及び図４）のものよりも低い全高であってもよい。これは、中心ストリップ２１０を横断するシース２０４の部分が、両先端上のチャネル２１４ａ、ｂを通過する第１のループ又はそれ以上を通過する可能性を増加させる。フラップ７１０ａ、ｂはまた、切り込み入り延長部７１６と、より狭い延長部７１８と、パネル７１２と、中心支持体７１４と、の間の結果として生じる接続を補強してもよい。より具体的には、切り込み入り延長部７１６及び幅より狭い延長部７１８がかなりの力で引っ張られる場合、引張力は、４つの材料層を通って引き裂くために必要とされる引き裂き力よりも大きくなければならない。これは、弓状ノッチ７０６の存在に起因して、更により耐引裂性になる。２つ又は３つの層のみを使用して十分な引き裂き抵抗を提供することができる材料は、フラップ７１０ａ〜ｂがＬ字形である必要はないことがある。むしろ、それらは、第１のチャネル２１４ａの床を中心ストリップ２１０の床まで持ち上げる機能を果たすように、矩形の形状（例えば、フラップ７０８ａ、ｂと同様）のみであってもよい。
【００４５】
図７Ｃでは、Ｌ字型フラップ７１０ａ、ｂは、対応する切り込み線７０４において上方に折り畳まれて、第１のタブ２０８ａ（図７Ｄ）の部品を最終的に形成することになる基部２０２の隆起部分を形成する。
【００４６】
図７Ｄでは、パネル７１２（図７Ａ）及び切り込み入り延長部７１６（図７Ａ）は、対応する切り込み線７０４に沿って折り畳まれて、基部２０２の隆起（上昇）部分を構成する第２のタブ２０８ｂを形成している。更に、パネル７１２は、中心支持体７１４（図７Ａ）の上部上に折り畳まれ、切り込み入り延長部７１６は、Ｌ字型フラップ７１０ａ、ｂ上に反転され（図７Ａ〜図７Ｃ）、かつ第１のタブ２０８ａを形成することに役立てるためにそれらを完全に覆う。対応する切り込み線７０４の間の距離Ｄ（図７Ａ）は、第１のチャネル２１４ａ及び第２のチャネル２１４ｂが第１のタブ２０８ａ及び第２のタブ２０８ｂにおいて形成されるためのものである。
【００４７】
図７Ｅでは、切り込み入り延長部７１６の端部分は、組み立てを完成させるためにそれ自体の下に折り畳まれている。のり又は接着剤が、組み立て中の様々な接触点で適用されて、基部２０２をその最終構成に固定することができる。他の実施形態では、又はそれに加えて、超音波溶接が、基部２０２をその最終構成に固定するために用いられてもよい。
【００４８】
図８Ａ〜図８Ｆは、１つ以上の実施形態による、図６Ａ〜図６Ｂ及び図７Ａ〜図７Ｅの基部２０２と併せたシース２０４の段階的な組み立てを図示する。示される実施形態では、シース２０４は、４つのストラップ１０６ａ〜ｄ（すなわち、２対のストラップ）に固定されることになる。しかしながら、以下の説明の組み立て工程のいくつかは、２つのストラップを含む用途に代替的に適用され得ることが理解されるであろう。
【００４９】
図８Ａでは、シース２０４の構築は、最初に開始結び目８０２をストラップ１０６ａ、ｂの下部（下面）上に位置決めされるように結ぶことによって開始することができる。開始結び目８０２は、それらの間に形成された谷部８０４内などの、ストラップ１０６ａ、ｂの間で締められ、かつ配置されてもよい。開始結び目８０２を谷８０４内に位置決めすることは、結び目８０２が谷部８０４内に隠されることを可能にし、そのため締結システム１１２の操作を妨害しない。次いで、コード２１２は、各ストラップ１０６ａ、ｂの下部の一部分を通されてもよく、示されるように、二次開始結び目８０６が形成されてもよい。いくつかの実施形態では、接着剤は、締められると、結び目８０２、８０６の一方又は両方に適用されてもよい。少なくとも１つの実施形態では、結び目８０２、８０６は、第１のストラップ１０６ａ及び第２のストラップ１０６ｂを互いに固定することに役立ち得る。例えば、結び目８０２、８０６は、図３の締結点３０２ｃを表現し得る。
【００５０】
図８Ｂでは、第１のストラップ１０６ａ及び第２のストラップ１０６ｂは、第３のストラップ１０６ｃ及び第４のストラップ１０６ｄの上にひっくり返され、嵌合される。コード２１２は、２つの対の間の中間においてストラップ１０６ａ〜ｄを出ることができる。開始結び目８０２（図８Ａ）は、ストラップ１０６ａ〜ｄの間に完全に隠される。
【００５１】
図８Ｃでは、部分的に折り畳まれた（組み立てられた）基部２０２は、ストラップ１０６ａ〜ｄと長手方向に整列されてもよく、別様に第１のストラップ１０６ａ及び第２のストラップ１０６ｂの上に長手方向に置かれてもよい。次いで、コード２１２は、矩形フラップ７０８ａ、ｂが内側、かつ第２のチャネル２１４ｂ（図２、図６Ａ〜図６Ｂ、及び図７Ｄ）の部品を形成する、中心支持体７１４の上面上に折り畳まれる場所で始まり、基部２０２及びストラップ１０６ａ〜ｄの周りで巻かれ得る。コード２１２は、基部２０２及びストラップ１０６ａ〜ｄの周りを、及び別様にコード２１２が矩形フラップ７０８ａ、ｂを完全に覆うまで、１回以上巻かれてもよい。接着剤（又は超音波溶接若しくは他の手段）が、矩形フラップ７０８ａ、ｂを覆うループに適用されてもよく、その後、基部２０２は、それ自体の上に折り畳まれて、第２のチャネル２１４ｂを形成し、矩形フラップ７０８ａ、ｂ上のループを覆うことができる。接着剤は、コード２１２を基部２０２に恒久的に取り付けることができ、コード２１２の内側ループが第２のチャネル２１４ｂの外側の隣接するループを越えて絡みつく（登る）ことを防止する剛性壁を作成することに役立ち得る。しかしながら、他の実施形態では、接着剤（又は超音波溶接又は他の手段）は、コード２１２を基部２０２に取り付け、及び別様にコード２１２の内側ループが隣接するループの上を乗り越えることを防止するために必要とされない場合がある。かかる実施形態では、例えば、第２のチャネル２１４ｂ（及び第１のチャネル２１４ａ）は、コード２１２の内側ループが隣接するループの上を乗り越えることを物理的に（機械的に）防止されるように設計されてもよい。したがって、接着剤（又は超音波溶接若しくは他の手段）の使用についての考察は、本開示を限定するものと見なされるべきではない。
【００５２】
図８Ｄでは、基部２０２は、図７Ｄを参照して概して上述されるように、それ自体の上に折り畳まれる。次いで、コード２１２は、中心ストリップ２１０の長さに沿って基部２０２及びストラップ１０６ａ〜ｄの周りに漸進的に巻き付けられて、シース２０４を形成してもよい。コード２１２は、第１のチャネル２１４ａ（図２、図６Ａ〜図６Ｂ、及び図７Ｄ）が形成されることになる場所に到達するまで、中心ストリップ２１０の周りに漸進的に巻き付けられてもよい。この時点で、基部２０２の切り込み入り延長部７１６は、持ち上げられてもよく、コード２１２は、第１のチャネル２１４ａの下部を形成することになる基部２０２の隆起部分の周りに巻き付けられ続けてもよい。コード２１２は、隆起部分が完全に又は大部分が覆われるまで巻き付けられてもよく、その時点で、コード２１２は、垂直下方に、かつ完全に基部２０２を通って挿入されてもよい。以下で考察されるように、コード２１２は、基部２０２を貫通して、ストラップ１０６ａ〜ｄに入ることができ、ここで結び目が、基部２０２、シース２０４、及びストラップ１０６ａ〜ｂを共に固定するために形成されてもよい。少なくとも１つの実施形態では、接着剤（又は超音波溶接若しくは他の手段）が、コード２１２のループに隆起部分において、及び切り込み入り延長部７１６が下方に折り畳まれて、第１のチャネル２１４ａを形成する前に、適用されてもよい。
【００５３】
図８Ｅ及び図８Ｆは、シース２０４の仕上げ組み立てが完了した際の組立体１１２の斜視図及び端面図をそれぞれ提供する。より具体的には、図８Ｆは、図８Ｅ中の眼によって示される、ストラップ１０６ａ〜ｄの間（内部）、及び基部２０２の下の図を図示する。図８Ｆでは、コード２１２は、基部２０２の下部から延在し、１つ以上の場所において第１のストラップ１０６ａ及び第２のストラップ１０６ｂを通される。閉鎖結び目８０８は、次いでコード２１２と共に形成されてもよく、閉鎖結び目２１２が締められると、閉鎖結び目２１２は、閉鎖結び目２１２が隠れるように、ストラップ１０６ａ〜ｄの間に位置決めされてもよい。閉鎖結び目２１２を締めることは、たるみを取るためにコード２１２の端部８１０を単純に引っ張ることにより達成されてもよく、これは、第１のストラップ１０６ａ及び第２のストラップ１０６ｂを共に引き寄せ、それによってコード２１２を定位置に係止させ、それによって、基部２０２、（コード２１２を介して作製された）シース２０４、及びストラップ１０６ａ〜ｂを共に固定してもよい。所望であれば、接着剤（又は超音波溶接若しくは他の手段）が、閉鎖結び目８０８に適用されてもよい。
【００５４】
図９は、１つ以上の付加的な実施形態による、別の例示的な基部９０２の斜視図である。基部９０２は、いくつかの点で図２、図４、図６Ａ〜図６Ｂ、及び図７Ａ〜図７Ｅの基部２０２に類似し得、そのためそれらを参照すると最も良く理解され得る。基部２０２と同様に、基部９０２は、図１〜図４の締結システム１１２において使用され得る。更に、基部２０２と同様に、基部９０２は、シース２０４と共に使用されてもよく、基部９０２とシース２０４との組み合わせは、「スリーブ」として特徴付けられるか、若しくは別様に言及されてもよい。
【００５５】
しかしながら、基部２０２とは異なり、基部９０２は、様々な材料で作製された射出成形又は３Ｄ印刷部品を含んでもよい。いくつかの実施形態では、基部９０２は、単一の噴射で射出成形されてもよい。しかしながら、他の実施形態では、基部９０２は、本開示の範囲から逸脱することなく、２つ以上の噴射で共成形されてもよい。基部９０２に好適な材料は、限定されるわけではないが、ポリマー（例えば、ポリエステル、ポリプロピレン、ナイロン、熱可塑性ポリウレタン、アクリロニトリルブタジエンスチレン、熱可塑性ゴム、ポリ乳酸、ポリ酢酸ビニル、ポリエチレンテレフタレート、ポリエチレンテレフタレートコポリエステル、高衝撃ポリスチレンなど）、金属（例えば、銅、青銅、アルミニウム、ステンレス鋼、合金など）、及びこれらの任意の組み合わせを含む。
【００５６】
示されるように、基部９０２は、第１のタブ９０４ａ、第２のタブ９０４ｂ、及び第１のタブ９０４ａと第２のタブ９０４ｂとの間に延在する中心ストリップ９０６を提供するか、又は別様に画定してもよい。タブ９０４ａ、ｂは、コード２１２（図２、図４、及び図６Ｂ）の１つ以上のループを受容するように構成された対応するチャネル９０８ａ及び９０８ｂをそれぞれ画定して、シース２０４を形成することに役立ち得る。示されるように、第１のタブ９０４ａ及び第２のタブ９０４ｂは、中心ストリップ９０６よりも幅広（より大きい）であってもよく、これは、コード２１２がタブ９０４ａ、ｂの上部上でシフトすることを防止し、及び別様にチャネル９０８ａ、ｂを通過するコード２１２のループを乗り越えることを防止することに役立つ。更に、タブ９０４ａ、ｂは、中心ストリップ９０６から隆起した（上昇した）遷移を形成してもよく、これはまた中心ストリップ９０６を横断するコード２１２が、タブ９０４ａ、ｂの上部上でシフトすることを防止するのに役立ち得る。いくつかの実施形態では、図８Ａ〜図８Ｆの結び目８０２、８０６、及び８０８はまた、シース２０４を基部９０２及びストラップ１０６ａ〜ｄ（図８Ａ〜図８Ｆ）に固定することに役立てるために、コード２１２で作製されてもよい。
【００５７】
図１０Ａ〜図１０Ｅは、開示の１つ以上の実施形態により、図１のソール１０４の様々な図である。図１０Ａは、ソール１０４の上面図である。示されるように、ソール１０４は、前部ストラップ開口部１００２、第１の対の側部ストラップ開口部１００４ａ、及び第２の対の側部ストラップ開口部１００４ｂを含み得る。前側ストラップ開口部１００２及び第１及び第２の対の側部ストラップ開口部１００４ａ、ｂは、ソール１０４をユーザの足に固定するために使用されるストラップ（例えば、図２〜図３のストラップ１０６ａ〜ｄ）を受容及び固定するように、各々サイズ決めされてもよい。少なくとも１つの実施形態では、第１及び第２の対の側部ストラップ開口部１００４ａ、ｂの１つ又は両方は、１対のストラップ又は１対のストラップの代わりに単一ストラップを受容する単一の開口部を代替的に備えてもよい。
【００５８】
図１０Ｂは、ソール１０４の下面図である。ソール１０４の下部は、プラグ開口部１００８内に受容されるようにサイズ決めされたつま先プラグ１００６を提供してもよい。プラグ開口部１００８は、前方ストラップ開口部１００２（破線で示される）から延在してもよく、つま先プラグ１００６は、プラグ開口部１００８内に受容されて、前側ストラップ開口部１００２及び前部ストラップ開口部１００２内に受容される１つ以上のストラップを塞ぐことができる。いくつかの実施形態では、つま先プラグ１００６は、つま先プラグ１００６が下にある表面（例えば、地面又は床）に接触しないように、プラグ開口部１００８内に差し込まれ（凹設され）てもよい。
【００５９】
ソール１０４の下部はまた、第１の溝１０１０ａ及び第２の溝１０１０ｂを画定してもよい。第１の溝１０１０ａ及び第２の溝１０１０ｂは、それぞれ、第１の対の側部ストラップ開口部１００４ａ及び第２の対の側部ストラップ開口部１００４ｂと整列されてもよい。対応するストラップ（図示せず）は、第１の溝１０１０ａ及び第２の溝１０１０ｂ内に受容されるように、第１の側部ストラップ開口部１００４ａ及び第２の側部ストラップ開口部１００４ｂを通って延在してもよい。第１の溝１０１０ａ及び第２の溝１０１０ｂは、ソール１０４の下部に画定され、ストラップがソール１０４の上部に向かって経路変更され得る領域を提供する。更に、溝１０１０ａ、ｂは、経路変更されたストラップが下にある表面（例えば、地面又は床）に接触しないほど十分に深くてもよい。
【００６０】
図１０Ｃは、ソール１０４の側面図である。示されるように、ソール１０４は、前部１０１２及び後部１０１４を提供する。いくつかの実施形態では、ソール１０４の前部１０１２は、ソール１０４の本体に対して上向きに角度付けされ得るつま先ガード１０１６を提供するか、又は別様に画定し得る。つま先ガード１０１６の角度付きの性質は、前部１０１２が地面又は床に引っ掛かることの発生を低減させるように、かつ前部１０１２を階段上に引っ掛けることなく、ユーザが、階段を登ることに役立てるように設計されてもよい。示されるように、つま先ガード１０６は、母趾のつま先１０８（図１）の輪郭と同様の形状の凸状曲線又は湾曲を画定してもよい。いくつかの実施形態では、つま先ガードの凸状曲線は、断面の円の４分の１、又は円のより小さい部分の周りに延在してもよい。
【００６１】
つま先ガード１０１６を上向きに角度付けすることはまた、同じ長さの足のための従来のサンダルのソールと比較して、ソール１０４をより短くすることが可能になることにおいて有利であることも証明し得る。より具体的には、サンダルのソールが平坦であるとき、（靴のスタイル及び足のサイズに応じて、４〜１２ｍｍの）つま先許容度が、（１）一歩進む間の、ソールに沿う長手方向の足の移動、及び（２）使用中のソールの曲げを考慮するために、つま先の前部において加えられる必要がある。ソールは、典型的に足の周囲を小さい距離で湾曲する必要があり、そのため足の長さよりも長い長さを必要とする。つま先ガード１０１６は、つま先ガード１０１６の曲率が、より短い水平距離を使用して同様に必要とされるつま先許容度を提供するので、つま先許容量によって必要とされる「水平距離」が大幅に低減又は排除されるため、有利であることを証明し得る。
【００６２】
いくつかの実施形態では、ソール１０４の後部１０１４は、ソール１０４の本体に対して上向きに角度付けされ得るかかとガード１０２０を提供するか、又は別様に画定し得る。かかとガード１０２０は、ユーザの足のかかとを地面又は床から離したままにするように設計されてもよい。示されるように、かかとガード１０２０は、かかとの輪郭と同様の形状の凸状曲線又は湾曲を画定してもよい。かかとガード１０２０は、運転中にユーザにとって特に有利であることを証明することができるが、これは、かかとガード１０２０が、ユーザのかかとが床マットに触れることを防止することができるためである。
【００６３】
いくつかの実施形態では、ソール１０４の側部１０２４の１つ又は両方は、上向きに湾曲してもよい。側部１０２４の上向きの湾曲は、ソール１０４の長手方向構造を改善することに役立ち得る。例えば、側部１０２４の上向きの曲率は、ソール１０４が地面又は床にぶつかるとき、「フラッピング」又は他の接触雑音を軽減又は防止することに役立ち得る。
【００６４】
図１０Ｄは、図１０Ａに示される線に沿って切り取られたソール１０４の断面側面図である。より具体的には、図１０Ｄは、ソール１０４の上部から延在する前部ストラップ開口部１００２、及びソール１０４の下部から延在するプラグ開口部１００８を図示する。少なくとも１つの実施形態において、プラグ開口部１００８は、プラグ開口部１００８内につま先プラグ１００６（破線で示される）を受容及び固定するように構成された環状リップ１０２６を提供するか、又は別様に画定し得る。更に、環状リップ１０２６は、凹設された場所内にプラグ開口部１００８内のつま先プラグ１００６を着座させるように構成されてもよく、そのためつま先プラグ１００６がソール１０４の下部からオフセットされる。これは、つま先プラグ１００６が下にある表面（例えば、地面又は床）に接触することを防止し、そのためつま先プラグ１００６が床に接触することによって生じるいずれのカタカタなる音又は静止摩擦の低減を防止することにおいて有利であることを証明し得る。
【００６５】
図１０Ｅは、図１０Ａに示される線に沿って切り取られたソール１０４の断面側面図である。より具体的には、図１０Ｅは、ソール１０４の上部から延在する第１の側部ストラップ開口部１００４ａ、及びソール１０４の下部に画定される第１の溝１０１０ａのうちの１つを図示する。図１０Ｅはまた、側部ストラップ開口部１００４ａを通って延在し、第１の溝１０１０ａを介してソール１０４の上部に向かって経路変更されたストラップ１０６を図示する。示されるように、側部ストラップ開口部１００４ａの直径は、ストラップ１０６の直径未満であってもよい。これは、ユーザによってなされたストラップ調節を維持することに役立てるために、ストラップ１０６とストラップ開口部１００４ａとの間の摩擦係合を促進することにおいて有利であることを証明し得る。
【００６６】
いくつかの実施形態では、ソール１０４は、ソール１０４の外側縁部又は側部１０２４において、ストラップ開口部１００４ａに横方向に隣接する拡大部分１０２８を提供してもよい。拡大部分１０２８は、第１の溝１０１０ａの上部でより厚くてもよく、この領域における引張力の増加に対してソール１０４を補強することができる。ソール１０４に使用される材料に応じて、拡大部分１０２８における材料の体積を増加させることは、その領域における引き裂き抵抗の増加において有利であることを証明し得る。
【００６７】
いくつかの実施形態では、隆起した輪郭１０３０は、第１の溝１０１０ａ内に提供されるか、又は別様に画定されてもよい。ストラップ開口部１００４ａは、ストラップ１０６をソール１０４を通して向け直すことに役立つことができ、第１の溝１０１０ａは、ストラップ１０６が位置するためのスロットを提供する。第１の溝１０１０ａ及び隆起した輪郭１０３０は、ストラップ１０６が下にある地面又は床からオフセットした状態に維持することに役立てるために協働して動作してもよい。これは、ストラップ１０６が地面との反復接触から損傷すること（ほつれ）を防止し、ストラップ１０６の耐用期間を延ばすことにおいて有利であることを証明し得る。
【００６８】
図１１は、１つ以上の実施形態による、別の例示的な締結システム１１００の拡大等角図である。締結システム１１００は、いくつかの点で図４及び図５Ａ〜図５Ｂにおいて図示される締結システム１１２と同様であってもよく、したがって、同様の数字が同様の構成要素に対応することとなる場所を参照すると最も良く理解され得る。更に、少なくとも１つの実施形態において、締結システム１１００は、図１に示される締結システム１１２に取って代わることができる。図４及び図５Ａ〜図５Ｂの締結システム１１２と同様に、例えば、締結システム１１００は、第５のストラップ１０６ｅ及び第６のストラップ１０６ｆ（破線で示される）に固定され、及び別様に位置決めされてもよい。しかしながら、「スリーブ」を協働的に形成する基部２０２及びシース２０４を含む締結システム１１２とは異なり、締結システム１１００は、ストラップ１０６ｅ、ｆを取り囲む一体構造を備えるスリーブ１１０２を含む。
【００６９】
示されるように、スリーブ１１０２は、略管状体又は筒状体を備え得、ストラップ１０６ｅ、ｆは、それを通って長手方向に延在するように構成され得る。スリーブ１１０２の本体は、限定されるわけではないが、天然材料（例えば、ゴム、ラテックス、皮革など）、ポリマー（例えば、熱可塑性ポリウレタン、ポリエステル、ポリプロピレン、ナイロン、アクリロニトリルブタジエンスチレン、熱可塑性ゴム、熱可塑性エラストマー、ポリ乳酸、ポリ酢酸ビニル、ポリ塩化ビニル、ポリエチレンテレフタレート、ポリエチレンテレフタレートコポリエステル、高衝撃ポリスチレン、シリコーンなど）、織布又は編組材料、不織布材料（例えば、不織布ウール、マイクロファイバ布地など）、又はこれらの任意の組み合わせを含む、可撓性材料から作製され得る。
【００７０】
スリーブ１１０２は、複数の制動部材１１０４を提供するか、又は別様に画定してもよい。示された実施形態では、制動部材１１０４は、スリーブ１１０２の材料内に１つ以上のスリット又は切断部１１０６を作製することによって形成されてもよい。いくつかの実施形態では、切断部１１０６は、射出成形プロセス又は３Ｄ印刷プロセスを通してなど、スリーブ１１０２の製造プロセス中に形成され得る。しかしながら、他の実施形態では、切断部１１０６は、切断ダイ又はナイフを用いてスリーブ１１０２をレーザー切断又は切断することを通してなど、スリーブ１１０２が製造された後、スリーブ１１０２内に形成されてもよい。
【００７１】
切断部１１０６は、全周ではなく、スリーブ１１０２の円周の一部分のみを通って形成され得る。いくつかの実施形態では、例えば、切断部１１０６は、スリーブ１１０２の周囲の約２５°〜約３３５°、及びそれらの間の任意の角度の大きさに延在してもよい。いくつかの実施形態では、切断部１１０６のうちの１つ以上は、異なる角度の大きさまで延在してもよく、このため異種の寸法を有する制動部材１１０４を形成してもよい。切断部１１０６は薄くてもよく、又は隣接する制動部材１１０４間に可視間隙を代替的に形成してもよい。
【００７２】
示される実施形態では、スリーブ１１０２は、第５のストラップ１０６ｅに固定（固着）され得、かつスリーブ１１０２が（例えば、人の指で）支持されている間は、いずれかの方向において第６のストラップ１０６ｆを引っ張ることが、足１０２（図１）に対するストラップ１０６ｅ、ｆにおける張力を調節し得る。より具体的には、第５のストラップ１０６ｅは、スリーブ１１０２の下面に固定（固着）されてもよく、そのためスリーブ１１０２及び第５のストラップ１０６ｅは、ストラップ張力を調節するために第６のストラップ１０６ｆに対して（逆もまた同様に）移動可能であり得る。第５のストラップ１０６ｅは、接着剤、超音波溶接、これらの組み合わせなどを使用して、基部２０２及びシース２０４に固定（固着）されてもよい。
【００７３】
例示的な動作では、第６のストラップ１０６ｆ上に張力が適用されないとき、制動部材１１０４は、スリーブ１１０２の長手方向軸１１０８に対して実質的に垂直に存在してもよい。しかしながら、張力が第６のストラップ１０６ｆ上に適用されるとき、制動部材１１０４は、引張荷重の方向に垂直に移動することになる。かかる運動は、制動部材１１０４を長手方向軸線１１０８に対してある角度で配置し、これが制動部材１１０４内の張力を増加させ、それによって制動部材１１０４と第６のストラップ１０６ｆとの間の摩擦を強化する。したがって、制動部材１１０４は、引張荷重の方向における第６のストラップ１０６ｆの移動に抵抗し得る。
【００７４】
図１２は、１つ以上の付加的な実施形態による、別の例示的な締結システム１２００の拡大等角図である。締結システム１２００は、いくつかの点で図１１の締結システム１１００と同様であってもよく、したがって、同様の数字が同様の構成要素に対応することとなる場所を参照すると最も良く理解され得る。更に、少なくとも１つの実施形態において、締結システム１２００は、図１に示される締結システム１１２に取って代わることができる。図１１の締結システム１１００と同様に、例えば、締結システム１２００は、１つ以上のストラップを取り囲むように構成されたスリーブ１２０２を含んでもよい。しかしながら、締結システム１１００とは異なり、スリーブ１２０２は、第７のストラップ１０６ｇ（破線で示される）として図１２に示される、単一のストラップを取り囲むか、又は別様に共に働くように構成されてもよい。第７のストラップ１０６ｇは、本明細書で考察されるストラップ１０６ａ〜ｆのいずれかと同じであってもよく、又は同様であってもよい。
【００７５】
スリーブ１２０２は、略管状体又は筒状体を備えてもよく、ストラップ１０６ｇは、それを通って長手方向に延在するように構成されてもよい。スリーブ１２０２の本体は、図１１のスリーブ１１０２を参照して上述された可撓性材料のいずれかで作製されてもよく、複数の制動部材１２０４は、図１１の制動部材１１０４と同様にスリーブ１２０２内に画定されてもよい。
【００７６】
締結システム１１００とは異なり、スリーブ１２０２は、スリーブ１２０２の本体から軸方向に離れて延在する延長部１２０６を更に含んでもよい。締結システム１２００がサンダルに適用される実施形態では、延長部１２０６は、サンダルの部品に結合されてもよい。少なくとも１つの実施形態では、例えば、延長部１２０６は、ソール（例えば、図１及び図１０Ａ〜図１０Ｄのソール１０４）に結合されてもよい。しかしながら、他の実施形態では、延長部１２０６は、ストラップ１０６ｇの別の部分に固定されてもよい（例えば、周囲にループされる）。任意のシナリオでは、延長部１２０６は、スリーブ１２０２をストラップ１０６ｇに対して定位置に固定するように構成されてもよい。
【００７７】
第７のストラップ１０６ｇは、（スリーブ１２０２を支持しながら）スリーブ１２０２に対して移動することができ、足１０２（図１）に対するストラップ１０６ｇ内の張力を調節することができ得る。例示的な動作では、ストラップ１０６ｇ上に張力が適用されないとき、制動部材１２０４は、スリーブ１２０２の長手方向軸１２０８に対して実質的に垂直に存在してもよい。しかしながら、張力がストラップ１０６ｇ上に適用されるとき、制動部材１２０４は、引張荷重の方向において垂線から移動することになる。かかる移動は、制動部材１２０４を長手方向軸１２０８に対してある角度で配置し、これが制動部材１２０４内の張力を増加させ、それによって制動部材１２０４とストラップ１０６ｇとの間の摩擦を強化する。したがって、制動部材１２０４は、引張荷重の方向におけるストラップ１０６ｇの移動に抵抗し得る。
【００７８】
図１３は、本開示の１つ以上の実施形態による、図１２の締結システム１２００を組み込む、例示的なサンダル１３００の等角図である。サンダル１３００は、いくつかの点で図１のサンダル１００と同様であってもよく、したがって、同様の数字が再度説明されない同様の構成要素を表現することになる場所を参照すると最も良く理解され得る。示されるように、サンダル１３００は、ソール１０４を含み、第７のストラップ１０６ｇは、ソール１０４を足１０２に取り付けるように構成される。ストラップ１０６ｇは、サンダル１３００を足１０２に固定するために、足１０２の前部、足首、及びかかとのうちの１つ以上の周囲にループするか、又は別様に延在してもよい。
【００７９】
締結システム１２００は、概して上記のように、サンダル１３００に動作可能に結合されてもよい。示される実施形態では、例えば、延長部１２０６は、スリーブ１２０２から延在し、アイレット１３０２を形成する。ストラップ１０６ｇの一部分は、アイレット１３０２を通って延在して、締結システム１２００をサンダル１３００に固定することができる。しかしながら、他の実施形態では、延長部１２０６は、ソール１０４に直接取り付けられてもよい。
【００８０】
締結システム１２００は、ストラップ１０６ｇに動作可能に結合され、スリーブ１２０２が（例えば、人の指で）支持されている間は、締結システム１１２に対していずれかの方向にストラップ１０６ｇを引っ張ることにより、足１０２に対するストラップ１０６ｇ内の張力を調節することになる。いくつかの実施形態では、ストラップ１０６ｇの端部は、それに結合された、又は別様にその一体部品を形成する停止部材１３０４を有してもよい。停止部材１３０４は、スリーブ１２０２の内径よりも大きい直径又はサイズを有する構造又は特徴を備えてもよい。したがって、停止部材１３０４は、ストラップ１０６ｇがスリーブ１２０２から解放されることを防止するのに役立ち得る。
【００８１】
動作中、ストラップ１０６ｇは、ストラップ１０６ｇを足１０２に対して締めるために、スリーブ１２０２に対して第１の方向Ｃにおいて（及びスリーブ１２０２を支持している間は）移動可能（摺動可能）であり得、及びストラップ１０６ｇを緩めるために、第１の方向Ｃとは反対の第２の方向Ｄにおいて移動可能（摺動可能）であり得る。しかしながら、張力がストラップ１０６ｇ上で第２の方向Ｄに適用されるとき、制動部材１２０４とストラップ１０６ｇとの間の摩擦が増加し、それによって、ストラップ１０６ｇの第２の方向Ｄにおける移動に抵抗することができる。
【００８２】
本明細書に開示される実施形態は、以下を含む。
【００８３】
Ａ．締結システムであって、筒状体を有するスリーブと、スリーブ上に提供された１つ以上の制動部材と、を備え、少なくとも１つのストラップが、スリーブを通って延在可能であり、かつスリーブが支持されている間はスリーブに対して移動可能であり、１つ以上の制動部材が、スリーブに対する少なくとも１つのストラップの移動に抵抗する、締結システム。
【００８４】
Ｂ．足に装着されるサンダルであって、ソールと、ソールに結合され、足の前部、足首、及びかかとのうちの１つ以上の周囲に延在可能な少なくとも１つのストラップと、少なくとも１つのストラップに動作可能に結合された締結システムと、を含む、サンダル。締結システムは、筒状体を有するスリーブと、スリーブ上に提供された１つ以上の制動部材と、を含み、少なくとも１つのストラップは、スリーブを通って延在し、スリーブが足に対して少なくとも１つのストラップ内の張力を調節するように支持されている間は、スリーブに対して移動可能であり、１つ以上の制動部材は、スリーブに対する少なくとも１つのストラップの移動に抵抗する。
【００８５】
実施形態Ａ及びＢの各々は、以下の付加的な要素のうちの１つ以上を任意の組み合わせで有してもよい：要素１：少なくとも１つのストラップが、少なくとも２つのストラップを備え、スリーブが、第１の端部及び第１の端部の反対側にある第２の端部を有する基部と、基部の周りに延在し、１つ以上の制動部材を提供するシースであって、少なくとも２つのストラップが、シースを通って延在可能であり、少なくとも２つのストラップのうちの１つが、基部に固定されている、シースと、を備える。要素２：第１の端部に提供され、第１のチャネルを画定する第１のタブと、第２の端部に提供され、第２のチャネルを画定する第２のタブと、第１のタブと第２のタブとの間に延在する中心ストリップと、を更に備え、シースが、中心ストリップの周りに複数回巻かれ、第１のチャネル及び第２のチャネルを通って延在するコードを含み、コードの１つ以上のループが、１つ以上の制動部材を構成する。要素３：少なくとも２つのストラップが、基部に固定された１つ以上の第１のストラップと、１つ以上の第１のストラップ、基部、及びシースに対して移動可能な１つ以上の第２のストラップと、を備える。要素４：１つ以上の第１のストラップが、並列に配置された第１の１対のストラップを備え、１つ以上の第２のストラップが、並列に配置された第２の１対のストラップを備える。要素５：基部が、ｉ）基部材料が基部を形成するために折り畳まれる複数の切り込み線、及びｉｉ）基部材料内に画定された１つ以上の弓状ノッチのうちの１つ以上を提供する、基部材料のストリップを含む。要素６：基部が、射出成形又は３Ｄ印刷されている。要素７：１つ以上の制動部材が、１つ以上の切断部によりスリーブ内に形成されている。要素８：少なくとも１つのストラップが、スリーブに固定された第１のストラップと、締結システム内の張力を調節するために、第１のストラップ及びスリーブに対して移動可能な第２のストラップと、を備える。要素９：少なくとも１つのストラップが、単一のストラップを備え、スリーブが、スリーブから軸方向に離れて延在し、スリーブを単一のストラップに対して固定する延長部を含む。要素１０：スリーブが、射出成形又は３Ｄ印刷されている。
【００８６】
要素１１：少なくとも１つのストラップが、ソールに結合された少なくとも２つのストラップを備え、スリーブが、第１の端部及び第１の端部の反対側にある第２の端部を有する基部と、基部の周りに延在し、１つ以上の制動部材を提供するシースであって、少なくとも２つのストラップが、シースを通って延在可能であり、少なくとも２つのストラップのうちの少なくとも１つが、基部に固定されている、シースと、を備える。要素１２：第１の端部に提供され、第１のチャネルを画定する第１のタブと、第２の端部に提供され、第２のチャネルを画定する第２のタブと、第１のタブと第２のタブとの間に延在する中心ストリップと、を更に備え、シースが、中心ストリップの周りに複数回巻かれるコードを備え、少なくとも２つのストラップ及びコードが、第１のチャネル及び第２のチャネルを通って延在する。要素１３：少なくとも２つのストラップが、基部に固定された１つ以上の第１のストラップと、１つ以上の第１のストラップ、基部、及びシースに対して移動可能な１つ以上の第２のストラップと、を備える。要素１４：１つ以上の制動部材が、１つ以上の切断部によりスリーブ内に形成されている。要素１５：少なくとも１つのストラップが、スリーブに固定された第１のストラップと、足に対する少なくとも１つのストラップ内の張力を調節するために、第１のストラップ及びスリーブに対して移動可能な第２のストラップと、を備える。要素１６：少なくとも１つのストラップが、単一のストラップを含み、スリーブが、スリーブをサンダルに結合する延長部を含む。要素１７：ソールが、前部及び後部を有し、水平に対して上向きに角度付けされた前部において、つま先ガードを提供する。要素１８：ソールが、前部及び後部を有し、水平に対して上向きに角度付けされた後部において、かかとガードを提供する。要素１９：ソールが、少なくとも１つのストラップを受容するようにサイズ決めされた、ソールの上面内に画定されたストラップ開口部と、ストラップ開口部から少なくとも１つのストラップを受容するために、ソールの下面内に画定された溝と、を備え、溝が、少なくとも１つのストラップをソールの上面に向かって向け直すスロットを画定し、スロットが、少なくとも１つのストラップが下部の表面に接触することを防止するのに十分な深さを有する。要素２０：少なくとも１つのストラップが、足の前部、足首、及びかかとの各々に対する少なくとも１つのストラップ内の張力を調節するために、スリーブに対して調節可能である。
【００８７】
非限定的な実施例として、Ａ及びＢに適用可能な例示的な組み合わせは、要素２を備える要素１と、要素３を備える要素２と、要素４を備える要素３と、要素５を備える要素１と、要素６を備える要素１と、要素８を備える要素７と、要素９を備える要素８と、要素１２を備える要素１１と、要素１３を備える要素１１と、要素１５を備える要素１４と、要素１６を備える要素１４と、を含む。
【００８８】
したがって、開示されるシステム及び方法は、言及された端部及び利点、並びにその内部に固有の端部及び利点を得るように十分に適合される。上述の特定の実施形態は、本開示の教示が、本明細書の教示の利益を有する当業者には明らかな、異なるが同等の様式で修正及び実施され得るため、例示目的のためだけのものである。更に、いかなる制限も、以下の特許請求の範囲に記載されるもの以外の、本明細書に示される構造又は設計の詳細を意図するものではない。したがって、上記に開示された特定の例示的実施形態は、変更、組み合わせ、又は修正されてもよいことは明らかであり、そのような全ての変形は、本開示の範囲内であると考えられる。本明細書に例示的に開示されるシステム及び方法は、本明細書に具体的に開示されていない任意の要素、及び／又は本明細書に開示されるいずれの任意の要素の不在下で適切に実施されてもよい。組成物及び方法は、様々な構成要素又は工程を「含む（comprising）」、「含有する（containing）」、又は「含む（including）」という用語で記載されているが、組成物及び方法はまた、様々な構成要素及び工程「から本質的になる（consist essentially of）」又は「からなる（consist of）」こともできる。上記で開示された全ての数及び範囲は、ある程度異なっていてもよい。下限及び上限を有する数値範囲が開示されるときはいつでも、その範囲内に含まれる任意の数及び任意の含まれる範囲が、具体的に開示される。具体的には、本明細書に開示される（「約ａ〜約ｂ」、又は同等に、「約ａ〜ｂ（from approximately a to b）」、又は同等に「約ａ〜ｂ（from approximately a-b）」の）全ての範囲の値は、広範な値の範囲内に包含される全ての数及び範囲を記載すると理解されるべきである。また、特許請求の範囲における用語は、別様に特許権所有者によって明示的かつ明確に定義されない限り、平易で通常の意味を有する。更に、特許請求の範囲において使用される際、不定冠詞「ａ」又は「ａｎ」は、本明細書において、それが導入する要素のうちの１つ又は１つ超を意味するように定義される。本明細書中の単語又は用語の使用に矛盾がある場合、及び本明細書に参照により組み込まれ得る１つ以上の特許又は他の文書が存在する場合、本明細書と一致する定義を採用すべきである。
【００８９】
本明細書で使用される際、一連の項目に先行する「少なくとも１つの」というフレーズは、項目のうちのいずれかを分離するための「及び」又は「又は」という用語を伴い、リストの各部材（すなわち、各項目）ではなく、リストを全体として修正する。「少なくとも１つの」というフレーズは、項目の任意の１つのうちの少なくとも１つ、及び／又は項目の任意の組み合わせのうちの少なくとも１つ、並びに／若しくは項目の各々のうちの少なくとも１つを含むという意味を可能にする。例として、「Ａ、Ｂ、及びＣのうちの少なくとも１つ」又は「Ａ、Ｂ、若しくはＣのうちの少なくとも１つ」というフレーズは、各々、Ａのみ、Ｂのみ、若しくはＣのみ、Ａ、Ｂ、及びＣの任意の組み合わせ、並びに／又はＡ、Ｂ、及びＣの各々のうちの少なくとも１つを指す。
【００９０】
〔実施の態様〕
（１）  締結システムであって、
筒状体を有するスリーブと、
前記スリーブ上に提供された１つ以上の制動部材と、を備え、
少なくとも１つのストラップが、前記スリーブを通って延在可能であり、かつ前記スリーブが支持されている間は前記スリーブに対して移動可能であり、
前記１つ以上の制動部材が、前記スリーブに対する前記少なくとも１つのストラップの移動に抵抗する、締結システム。
（２）  前記少なくとも１つのストラップが、少なくとも２つのストラップを備え、前記スリーブが、
第１の端部及び前記第１の端部の反対側にある第２の端部を有する基部と、
前記基部の周りに延在し、前記１つ以上の制動部材を提供するシースであって、前記少なくとも２つのストラップが、前記シースを通って延在可能であり、前記少なくとも２つのストラップのうちの１つが、前記基部に固定されている、シースと、を備える、実施態様１に記載の締結システム
（３）  前記第１の端部に提供され、第１のチャネルを画定する第１のタブと、
前記第２の端部に提供され、第２のチャネルを画定する第２のタブと、
前記第１のタブと前記第２のタブとの間に延在する中心ストリップと、を更に備え、
前記シースが、前記中心ストリップの周りに複数回巻かれ、前記第１のチャネル及び前記第２のチャネルを通って延在するコードを含み、前記コードの１つ以上のループが、前記１つ以上の制動部材を構成する、実施態様２に記載の締結システム。
（４）  前記少なくとも２つのストラップが、
前記基部に固定された１つ以上の第１のストラップと、
前記１つ以上の第１のストラップ、前記基部、及び前記シースに対して移動可能な１つ以上の第２のストラップと、を備える、実施態様３に記載の締結システム。
（５）  前記１つ以上の第１のストラップが、並列に配置された第１の１対のストラップを備え、前記１つ以上の第２のストラップが、並列に配置された第２の１対のストラップを備える、実施態様４に記載の締結システム。
【００９１】
（６）  前記基部が、ｉ）基部材料が前記基部を形成するために折り畳まれる複数の切り込み線、及びｉｉ）前記基部材料内に画定された１つ以上の弓状ノッチのうちの１つ以上を提供する、前記基部材料のストリップを含む、実施態様２に記載の締結システム。
（７）  前記基部が、射出成形又は３Ｄ印刷されている、実施態様２に記載の締結システム。
（８）  前記１つ以上の制動部材が、１つ以上の切断部により前記スリーブ内に形成されている、実施態様１に記載の締結システム。
（９）  前記少なくとも１つのストラップが、
前記スリーブに固定された第１のストラップと、
前記締結システム内の張力を調節するために、前記第１のストラップ及び前記スリーブに対して移動可能な第２のストラップと、を備える、実施態様８に記載の締結システム。
（１０）  前記少なくとも１つのストラップが、単一のストラップを備え、前記スリーブが、前記スリーブから軸方向に離れて延在し、前記スリーブを前記単一のストラップに対して固定する延長部を含む、実施態様９に記載の締結システム。
【００９２】
（１１）  前記スリーブが、射出成形又は３Ｄ印刷されている、実施態様１に記載の締結システム。
（１２）  足に装着されるサンダルであって、
ソールと、
前記ソールに結合され、前記足の前部、足首、及びかかとのうちの１つ以上の周囲に延在可能である、少なくとも１つのストラップと、
前記少なくとも１つのストラップに動作可能に結合された締結システムであって、
筒状体を有するスリーブと、
前記スリーブ上に提供された１つ以上の制動部材と、を含む、締結システムと、を備え、
前記少なくとも１つのストラップが、前記スリーブを通って延在し、前記足に対する前記少なくとも１つのストラップ内の張力を調節するために、前記スリーブが支持されている間は、前記スリーブに対して移動可能であり、
前記１つ以上の制動部材が、前記スリーブに対する前記少なくとも１つのストラップの移動に抵抗する、サンダル。
（１３）  前記少なくとも１つのストラップが、前記ソールに結合された少なくとも２つのストラップを備え、前記スリーブが、
第１の端部及び前記第１の端部の反対側にある第２の端部を有する基部と、
前記基部の周りに延在し、前記１つ以上の制動部材を提供するシースであって、前記少なくとも２つのストラップが、前記シースを通って延在可能であり、前記少なくとも２つのストラップのうちの少なくとも１つが、前記基部に固定されている、シースと、を備える、実施態様１２に記載のサンダル。
（１４）  前記第１の端部に提供され、第１のチャネルを画定する第１のタブと、
前記第２の端部に提供され、第２のチャネルを画定する第２のタブと、
前記第１のタブと前記第２のタブとの間に延在する中心ストリップと、を更に備え、
前記シースが、前記中心ストリップの周囲に複数回巻かれたコードを備え、前記少なくとも２つのストラップ及び前記コードが、前記第１のチャネル及び前記第２のチャネルを通って延在する、実施態様１３に記載のサンダル。
（１５）  前記少なくとも２つのストラップが、
前記基部に固定された１つ以上の第１のストラップと、
前記１つ以上の第１のストラップ、前記基部、及び前記シースに対して移動可能な１つ以上の第２のストラップと、を備える、実施態様１３に記載のサンダル。
【００９３】
（１６）  前記１つ以上の制動部材が、１つ以上の切断部により前記スリーブ内に形成されている、実施態様１２に記載のサンダル。
（１７）  前記少なくとも１つのストラップが、
前記スリーブに固定された第１のストラップと、
前記足に対する前記少なくとも１つのストラップ内の前記張力を調節するために、前記第１のストラップ及び前記スリーブに対して移動可能な第２のストラップと、を備える、実施態様１６に記載のサンダル。
（１８）  前記少なくとも１つのストラップが、単一のストラップを備え、前記スリーブが、前記スリーブを前記サンダルに結合している延長部を含む、実施態様１６に記載のサンダル。
（１９）  前記ソールが、前部及び後部を有し、かつ前記前部に、水平に対して上向きに角度付けされたつま先ガードを提供する、実施態様１２に記載のサンダル。
（２０）  前記ソールが、前部及び後部を有し、かつ前記後部に、水平に対して上向きに角度付けされたかかとガードを提供する、実施態様１２に記載のサンダル。
【００９４】
（２１）  前記ソールが、
前記少なくとも１つのストラップを受容するようにサイズ決めされた、前記ソールの上面内に画定されたストラップ開口部と、
前記ストラップ開口部からの前記少なくとも１つのストラップを受容するために、前記ソールの下面内に画定された溝と、を備え、
前記溝が、前記少なくとも１つのストラップを前記ソールの前記上面に向かって向け直すスロットを画定し、
前記スロットが、前記少なくとも１つのストラップが下部の表面に接触することを防止するのに十分な深さを有する、実施態様１２に記載のサンダル。
（２２）  前記少なくとも１つのストラップが、前記足の前記前部、前記足首、及び前記かかとの各々に対する前記少なくとも１つのストラップ内の前記張力を調節するために、前記スリーブに対して調節可能である、実施態様１２に記載のサンダル。
【図１】
2020531231.tif 000003
【図２】
2020531231.tif 000004
【図３】
2020531231.tif 000005
【図４】
2020531231.tif 000006
【図５Ａ】
2020531231.tif 000007
【図５Ｂ】
2020531231.tif 000008
【図６Ａ】
2020531231.tif 000009
【図６Ｂ】
2020531231.tif 000010
【図７Ａ】
2020531231.tif 000011
【図７Ｂ】
2020531231.tif 000012
【図７Ｃ】
2020531231.tif 000013
【図７Ｄ】
2020531231.tif 000014
【図７Ｅ】
2020531231.tif 000015
【図８Ａ】
2020531231.tif 000016
【図８Ｂ】
2020531231.tif 000017
【図８Ｃ】
2020531231.tif 000018
【図８Ｄ】
2020531231.tif 000019
【図８Ｅ】
2020531231.tif 000020
【図８Ｆ】
2020531231.tif 000021
【図９】
2020531231.tif 000022
【図１０Ａ】
2020531231.tif 000023
【図１０Ｂ】
2020531231.tif 000024
【図１０Ｃ】
2020531231.tif 000025
【図１０Ｄ】
2020531231.tif 000026
【図１０Ｅ】
2020531231.tif 000027
【図１１】
2020531231.tif 000028
【図１２】
2020531231.tif 000029
【図１３】
2020531231.tif 000030
【国際調査報告】
2020531231.tif 000031
2020531231.tif 000032
2020531231.tif 000033